【事件の表示】
　特許第２７２６０９２号「遊技機」の特許に対する特許異議の申立てについて、次のとおり決定する。
【結論】
　訂正を認める。
　特許第２７２６０９２号の特許を維持する。
【理由】
（１）手続の経緯
　特許第２７２６０９２号の請求項１に係る発明は、平成１年３月３０日に特許出願され、平成９年１２月５日にその特許の設定登録がなされたところ、上田　実より特許異議の申立てがなされ、平成１１年１月１１日付けで取消理由通知がなされ、その指定期間内である平成１１年３月２５日に訂正請求がなされたものである。
（２）訂正の適否についての判断
ア．訂正の内容
　特許権者が求めている訂正の内容は、以下のとおりである。
▲１▼訂正事項ａ
　本件特許明細書の特許請求の範囲の請求項１に係る記載
　「遊技盤の裏側へ転動したセーフ球を誘導するために遊技盤の裏面に装着されたセーフ球誘導ケースの一部には遊技盤に装着された入賞装置の可動部材に対しこの可動部材を駆動するために連係された駆動手段を取付けたことを特徴とする遊技機。」
を、
　「遊技盤の裏側へ転動したセーフ球を誘導するために遊技盤の裏面に装着されたセーフ球誘導ケースの裏面には、遊技盤に装着された入賞装置の可動部材に対しこの可動部材を駆動するために連係された駆動手段を取付板を介して取付け、
　前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されていることを特徴とする遊技機。」
と訂正する。
▲２▼訂正事項ｂ
　本件特許明細書の発明の詳細な説明の欄における＜課題を解決するための手段＞
の項の記載
　「＜課題を解決するための手段＞
　本発明の遊技機は遊技盤の裏側へ転動したセーフ球を誘導するために遊技盤の裏面に装着されたセーフ球誘導ケースの一部には遊技盤に装着された入賞装置の可動部材に対しこの可動部材を駆動するために連係された駆動手段を取付けた構成を有する。」
を、
「＜課題を解決するための手段＞
本発明の遊技機は、遊技盤の裏側へ転動したセーフ球を誘導するために遊技盤裏面に装着されたセーフ球誘導ケースの裏面には、遊技盤に装着された入賞装置の可動部材に対しこの可動部材を駆動するために連係された駆動手段を取付板を介して取付け、
　前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されている。」
と訂正する。
イ．訂正の目的の適否、新規事項の有無及び拡張・変更の存否
　上記訂正事項ａは、本件特許明細書における「発明の詳細な説明」の欄の「セーフ球誘導ケース６は第１誘導樋８、第２誘導樋９、第３誘導樋１０、第４誘導樋１１、第５誘導樋１２及び接続板１３が一体状に連接され、・・・接続板１３の裏面にはそれぞれ後方へ突出された左右１対の支持部材１４、１４が併設され」の記載（本件特許公報第３欄第５０行〜第４欄第５行）、「右側の支持部材１４の後端面と、左側の支持部材１４の上片１４ａの後端面とには平板状の取付板５１が、この取付板５１に貫設された１対の第１位置決め孔５１ａ、５１ａ内に対し両支持部材１４の両突起１４ｄがそれぞれ嵌挿された状態でビス７１，７１のよって垂直状に締着され、・・・取付板５１の前側には後記入賞装置１５の両可動部材２５を駆動するために・・・ソレノイド５０が固定部材５２を介して下向き状に設置されている。」の記載（本件特許公報第４欄第１５行〜第２６行）、及び第２図、第３図、第５図の記載に基づいて、「駆動手段の取付け」を限定したものであり、特許請求の範囲の減縮に該当するものである。
　上記訂正事項ｂは、特許請求の範囲の訂正に整合させるために発明の詳細な説明を訂正するものであって、明りょうでない記載の釈明に該当するものである。
　そして、上記訂正事項ａ、ｂは、願書に添付した明細書又は図面に記載された事項の範囲内のものであって、実質的に特許請求の範囲を拡張又は変更するものではない。
ウ．独立特許要件の判断
（本件発明）
　平成１１年３月２５日付けで提出された訂正明細書の請求項１に係る（以下、「本件発明」という。）は、その特許請求の範囲の請求項１に記載された事項により特定されるとおりのものである（（２）ア．▲１▼を参照）。
（引用刊行物）
　本件発明に対して、当審が平成１１年１月１１日付けの取消理由で引用した刊行物１〜４には、それぞれ以下のとおり記載されている。
刊行物１（特開昭６３−２３４９８８号公報）
「第２入賞部５３は、図示省略の制御装置によって、前記第１記憶回路（図示省略）に記憶されている前記第１入賞部５２への入賞個数と同じ回数開放される（打球を受け入れ難い第１状態から打球を受け入れ易い第２状態に一定時間変換される）ようになっており、例えば、チューリップ形式のものとして作られている。
　このように第２入賞部５３を特別価値付与装置５の上方に設け、さらに、チューリップ形式とすることにより、通常遊技状態においても、特別価値付与装置の第３入賞部５４を一定時間開放するといった小当りを遊技者に与えることができる。
　この第２入賞部５３は、構成基枠５０の前面上段に設けられた第２入賞口５３１の前面側に、駆動手段としての第２ソレノイド５３３（第４図）によって回動操作される１対の第２可動部材５３２、５３２が開閉自在に設置されることにより構成されている。
　前記第２可動部材５３２、５３２は、それらの基部が取付け板５１を表側から裏面側に貫通して設けられた回転軸５３４、５３４の前端側に固定されることによって、回動自在に設けられている。
　これら第２可動部材５３２、５３２は、それらの間に打球が１個入り得る間隔を開けて自由端側が上向きになるように立って閉じた状態（第４図に示す状態）から、それぞれの上端側が開く方向に回動して逆「ハ」の字状に開いた状態までの範囲を回動可能となっている。
　これら第２可動部材５３２、５３２の下部側を覆うようにして、構成基枠５０の前面側に、第２可動部材５２３、５２３間に流入した打球の外部への流出を防止する流出防止カバー５３６が設置されている。
　また、前記第２可動部材５３２、５３２が固定された前記回転軸５３４、５３４の後側はクランク軸５３５．５３５となって、構成基枠５０の内方に至っている。
　一方．前記第２ソレノイド５３３は、構成基枠５０の後板５５の裏側に設置されている。この第２ソレノイド５３３は、その上端側に作動ロッド５３３ａを備えている。この作動ロッド５３３ａには該作動ロッド５３３ａに上昇復帰力を付与する圧縮コイルスプリング５３３ｂが装着されている。
　また、作動ロッド５３３ａの上端には運動枠５３７が取り付けられ、該連動枠５３７前側の左右両端部分には横長の透孔５３７ａ，５３７ａが形成されている。そして、これら透孔５３７ａ．５３７ａの中に．前記クランク軸受部５３５、５３５が嵌合されている９
　そして、通常時においては第２ソレノイド５３３が消磁されていて、作動ロッド５３３ａが圧縮コイルスプリング５３３ｂの力で上昇復帰されている。このため、連動枠５３７もこの作動ロッド５３７と一体に上昇していてクランク軸５３５、５３５および回転軸５３４、５３４を介して可動部材５３２、５３２の自由端側が垂直上方を向いた略平行状態に閉じた状態に復帰している。このときには、可動部材５３２−５３２間は、その中に打球が１個入り得る間隔となっている。
　そして、第１入賞部５２が開放されて閉じた後、前記制御装置（図示省略）からの指令で第２ソレノイド５３３が励磁されると、作動ロッド５３３ａが圧縮コイルスプリング５３３ｂの力に抗して下降され、連動枠５３７、クランク軸５３５，５３５および回転軸５３４，５３４を介して可動部材５３２，５３２が逆「ハ」の字状に開いた状態となり、その中に打球が流入し易くなる。」（第５頁右上欄第１３行〜第６頁左上欄第２０行）こと。
刊行物２（実願昭６１−２２９４５号（実開昭６２−１３７０８０号）のマイクロフィルム）
「従来のパチンコ機は、遊技盤の裏面にアウト球あるいは特定の入賞装置の配置に応じてセーフ球の球誘導路を形成した球案内箱を取付けている。このため、入賞装置の配置にしたがって自由に球誘導路を形成することが困難であった。また、パチンコ機の遊技盤裏面にはセーフ球を検出するマイクロスイッチ等の球検出体を玉誘導路に取付け、入賞装置を制御装置の指令に基いて駆動するソレノイド等の駆動装置を所定位置にねじ等で固定していたため、組立てや修理が面倒であり、球検出体及び駆動装置等の電気部品のリード線が邪魔となり組立作業を円滑に行うことができなかった。」（明細書第２頁第６行〜１７行）こと、
「本考案の目的は、上記欠点を解消して、入賞装置の配置に応じてセーフ球の球誘導路を容易に形成することが可能で、遊技盤の裏面に着脱自在に取付けでき、セーフ球を検出する球検出体及び入賞装置を駆動する駆動装置を所定位置に配設することが可能で、組立てや交換、修理が簡単にでき、球検出体及び駆動装置等の電気部品のリード線を収納して組立作業を円滑に行うことが可能なパチンコ機の球誘導カバーを提供することにある。」（明細書第２頁第１９行〜第３頁第７行）こと、
「４４は嵌合切欠部２１に相当する位置に設けた入賞装置を駆動するソレノイド等の駆動装置を嵌合装着する駆動装置取付部である。」（明細書第１１頁第１９行〜第１２頁第１行）こと、
「第１１図においては、第１セーフ球受入孔１６の仕切片３０を切断し、第１セーフ球誘導樋２７の下端寄り一部及び突条片２８、２９を切断し、第２セーフ球誘導樋３１の下端寄り一部及び２つの突条片３２を切断し、内側セーフ球誘導樋３４と外側セーフ球誘導樋３５間の立上り壁どうしに連結された球誘導片３６を切断し、第３セーフ球誘導樋３９の下端寄りを切断し、球誘導樋４２下端寄り一部及び突条片４３を切断し、第６セーフ球受入孔２２の舌片４９を切断してセーフ球の球誘導路を形成しており、入賞装置の配置に応じて球誘導樋、突条片及び球誘導片を切断することによって異なる多数の球誘導経路を形成することが可能である。また、マイクロスイッチ等の球検出体やソレノイド等の駆動装置を所望により球検出体取付部５０や駆動装置取付部４４に取付ければ、セーフ球が球検出体の接片に抗して通過することにより検出を行なわれ、球誘導カバー６の下部に装着した球検出体取付板６０の球誘導片７０、７１間にアウト球の誘導部を形成し、前記球誘導カバー６は遊技盤２に対して簡単に取付けられ、組立てや交換、修理が簡単に行える。
　また、球検出体及び駆動装置のリード線は外壁２６及び球誘導樋の立上り壁に複数形成した嵌合凹部５５に嵌入した後、リード線係止片５６の係止溝５７に引掛けて係止することにより組立作業の邪魔とならずに取付けを円滑に行える。」（明細書第１７頁第３行〜第１８頁９行）こと。
刊行物３（特開昭６３−２５７５８６号公報）
「第１駆動機構は、第７図に示すように、遊技盤１の裏面に止着する第１構成盤３７の下端に、一端に第１球載置部４０を有する第１球受杆４１を軸４２によって揺動自在に軸着し、該第１球受杆４１の他端に接続した第１昇降杆４３の上端を第２構成盤３８に軸４４により揺動自在に軸着してある倒Ｌ字状の第１釣杆４５の第１ロッド受部４６に下方から臨ませ、第１構成盤３７に長さの途中を軸４７により揺動自在に軸着した第１制御杆４８の一端に形成した第１係止突起４９を上記した第１釣杆４５の第１鈎形係止部５０に臨ませ、該第１制御杆４８の第１係止突起４９側端部の下方には第１電気的駆動源として設けた第１ソレノイド５１のプランジャに取付けた第１リフト部５２を配置し、第１制御杆４８の途中に突設した第１遮光片５３をフォトセンサタイプの第１位置検出器５４に臨ませ、第１制御杆４８の他端に前向きに突設した第１押圧部５５を第１構成盤３７の関口部に臨ませてなる。この第１駆動機構を遊技盤１の裏側に設けると、中央入賞装置４の構成基板７の裏面に突設した位置決め突起５６、５６が第１構成盤３７の前面に形成してある位置決め孔（図示せず）内に嵌合して中央入賞装置４との相対位置が定まるので、第６図に示すように、第１制御杆４８の第１押圧部５５が第１開閉扉１６の第１規制部材２６の第１押圧受部２７に上方から臨む。
　上記した第１ソレノイド５１は、常態では電気的制御装置（図示せず）からの給電により励磁されているので、第１リフト部５２を下降している。また、第１球受杆４１は、ウエイト５７の付勢により常には第１球載置部４０を上昇し、第１昇降杵４３を下降した状態で停止している。そして、第１鈎杆４５は、自重による付勢により第１鈎形係止部５０を上昇した状態で静止し、該第１鈎形係止部５０により第１制御杆４８の第１係止突起４９を支持する。したがって、第１制御杆４８は、常には第１係止突起４９を上昇し、第１押圧部５５を下降した状態で静止する。このため、第１押圧部５５により第１規制部材２６の第１押圧受部２７が下降し、第１開閉扉１６が起立して第１球入口８を塞ぐ第１状態を維持する。
　特別入賞具６に球が入賞すると、この球が遊技盤１の裏側に排出されて第１球受杆４１の第１球載置部４０上に載り、当該球の自重により第１球受杆４１が第１球載置部４０を下降する方向に揺動して第１昇降杆４３を上昇する。第１昇降杆４３が上昇すると、第１昇降杆４３の上端が第１鈎杆４５の第１ロッド受部４６を上昇するので、第１鈎杆４５が軸４４を中心として第１鈎形係止部５０を反時計方向に回動する。したがって、第１制御杆４８が揺動自由な状態となり、第１開閉扉１６がウエイト２２の付勢により構成基板７の前方に倒れて第１球入口８を開放する第２状態に変換する。第１開閉扉１６が第２状態に変換すると、第１制御杆４８が第１押圧部５５を上昇する方向に揺動するので、第１遮光片５３が第１位置検出器５４に作用する。したがって、電気的制御装置は、第１位置検出器５４からの信号により第１開閉扉１６が第２状態に変換したことを検知する。第１位置検出器５４からの信号により第１球検出器５９を検出可能とするとともに、効果音や照明による光によって遊技者に第１開閉扉１６が第２状態になったことを可視及び可聴表示する。また、第１開閉扉１６が第２状態に変換すると、流下してきた球を受け止めて第１球入口８に案内する。第１球入口８を通った球は、第１凹室１９内に入った後、第１凹室１９の壁面に開口している出口を通って遊技盤１の裏側に抜け、第１構成盤３７に形成してある第１球流路５８に流入する。この第１球流路５８の途中には第１球検出器５９を臨ませてある。したがって、第１球流路５８に流入した球は、流下途中で第１球検出器５９に作用した後、第２駆動機構に作用してから入賞球集合樋（図示せず）に入って入賞球となる。
　この様に、第１駆動機構は、特別入賞具６に入った球の自重により第１開閉扉１６を第１状態から第２状態に変換する。また、第１開閉扉１６は、第１球入口８に球が入っても第１ソレノイド５１が励磁した状態を維持している限り第２状態を維持する。そして、電気的制御装置からの信号により第１ソレノイド５１への給電が一時停止されて第１ソレノイド５１が一端消磁すると、プランジャに取付けた第１リフト部５２が復帰スプリング等の付勢により上昇して第１制御杆４８を、第１係止突起４９が上昇する方向に揺動する。第１制御杆４８が揺動すると、上昇した第１係止突起４９が第１鈎杆４５の傾斜部分を押圧して第１鈎杆４５を揺動し、充分に揺動すると第１係止突起４９が第１鈎形係止部５０に係止される。したがって、第１制御杆４８は、第１ソレノイド５１が再度励磁しても第１鈎杆４５により保持された第１押圧部５５を下降した状態を維持する。この様にして第１ソレノイド５１の消磁により第１制御杆４８が揺動すると、第１押圧部５５が第１規制部材２６の第１押圧受部２７を押圧する。したがって、第１開閉扉１６が戻り回動して第１球入口８を塞ぐ第１状態に復帰する。」（第３頁右下欄第２０行〜第５頁左上欄第１９行）こと。
刊行物４（特開昭６３−２４９７１号公報）
「第３図には、裏機構盤における上記特定入賞球集合樋１８と集合樋１０との関係を示す詳細図が示されている。集合樋１０は、少なくとも球一個分の間隔を有して、遊技盤１００の裏面を覆うように取り付けられており、左右両端には側壁が、また下部には中央に向かってゆるやかに下り傾斜した案内樋１０ａが形成されている。案内樋１０ａの終端に入賞球処理装置４０（第１図参照）が揺動可能に配設され、案内樋７１ａによって誘導されて来た入賞球を一個ずつ分離する。」（第５頁右下欄第９行〜第１８行）こと、
「一対の第１特定入賞口１０７に対応してそれぞれ遊技盤の裏面には、入賞球導出樋１９ａと１９ｂが配設されている。入賞球導出樋１９ａと１９ｂにより誘導された入賞球は、第２特定入賞口１０８の玉出口ＩＦに対応してそこから流出する入賞球を一側方へ誘導すべく設けられた特定入賞球集合樋１８上に流下されるようになっている。この特定入賞球集合樋１８の一側に垂直に設けられた流出部１８ａの途中には、特定入賞検出器９４が取り付けられ、玉出口ＩＤ、ＩＥおよびＩＦから流出した特定入賞球を検出するようになっている。なお、９５で示されているのが前述した変動入賞装置１０５の受口に入賞したすべての遊技球を検出する入賞検出器で、９６で示されているのが、受口内の特別条件構成領域に入賞した球を検出する特別条件検出器である。上記特定入賞球集合樋１８は、変動入賞装置１０５の背部に取り付けられるとともに、この特定入賞球集合樋１８の上記流出部１８ａと反対側の一側に変動入賞装置１０５の駆動源（ソレノイド）１０５ｂが固定されている。」（第６頁右上欄第５行〜左下欄第５行）こと。
（対比・判断）
　本件発明と、上記刊行物１〜４に記載された発明とを対比すると、これらの刊行物に記載の発明は、本件発明を特定する事項である「前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されている」構成を備えておらず、また、これを示唆する記載も認められない。本件発明は、上記構成を備えることにより、セーフ球誘導ケースの裏面側に突出された支持部材に対し、駆動手段が取り付けられた取付板を、位置決め突起と位置決め孔との嵌合作用によって正確に位置決めして容易に着脱可能とすることで、駆動手段の保守・点検や着脱交換を容易化し、取付板の前側に駆動手段を取付けることで、駆動手段を取付板によって保護し、しかも、取付板の後側に駆動手段が突出することがないので、取付板の後側に配設される他の部品や装置に対し、駆動手段が干渉して妨害物となる不具合を解消するという顕著な効果を奏するものであるから、本件発明が、上記刊行物１〜４に記載された発明でないことは明らかであり、かつこれらの刊行物記載のものから容易に発明をすることができたものともいえない。
　したがって、本件発明は、特許出願の際、独立して特許を受けることができないとすることはできない。
エ．むすび
　以上のとおりであるから、上記訂正は、特許法第１２０条の４第２項の規定に適合し、同条第３項で準用する第１２６条第２−４項の規定に適合するので、上記訂正を認める。
（３）特許異議申立てについての判断
ア．申立ての理由の概要
　申立人上田　実は、本件発明は、甲第１号証（特開昭６３−２３４９８８号公報）、甲第２号証（実願昭６１−２２９４５号（実開昭６２−１３７０８０号）のマイクロフィルム）、甲第３号証（特開昭６３−２５７５８６号公報）、甲第４号証（特開昭６３−２４９７１号公報）に記載された発明に基づいて、その発明の属する技術の分野における通常の知識を有する者が容易に発明をすることができたものであるから、特許法第２９条第２項の規定により特許を受けることができないものであり、特許法第１１３条第１項第２号の規定により特許を取り消されるべきと主張している。
イ．判断
　上記甲１〜４号証（当審で引用した刊行物１〜４）に記載された発明は「前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されている」構成を備えていないことは、上記（２）ウで述べたとおりであって、本件発明は、これら甲各号証に基づいて、当業者が容易に発明をすることができたものとすることはできない。
ウ．むすび
　以上のとおりであるから、特許異議の申立ての理由及び証拠によっては、本件発明の特許を取り消すことはできない。
　また、他に本件発明の特許を取り消すべき理由を発見しない。
　よって、結論のとおり決定する。
【異議決定日】
平成１１年１０月２５日（１９９９．１０．２５）
【訂正の要旨】
訂正の要旨
　特許第２７２６０９２号発明の明細書を以下のとおり訂正する。
▲１▼訂正事項ａ
　本件特許明細書の特許請求の範囲の請求項１に係る記載
　「遊技盤の裏側へ転動したセーフ球を誘導するために遊技盤の裏面に装着されたセーフ球誘導ケースの一部には遊技盤に装着された入賞装置の可動部材に対しこの可動部材を駆動するために連係された駆動手段を取付けたことを特徴とする遊技機。」を、特許請求の範囲の減縮を目的として、
　「遊技盤の裏側へ転動したセーフ球を誘導するために遊技盤の裏面に装着されたセーフ球誘導ケースの裏面には、遊技盤に装着された入賞装置の可動部材に対しこの可動部材を駆動するために連係された駆動手段を取付板を介して取付け、
　前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されていることを特徴とする遊技機。」
と訂正する。
▲２▼訂正事項ｂ
　本件特許明細書の発明の詳細な説明の欄における＜課題を解決するための手段＞
の項の記載
「＜課題を解決するための手段＞
　本発明の遊技機は遊技盤の裏側へ転動したセーフ球を誘導するために遊技盤の裏面に装着されたセーフ球誘導ケースの一部には遊技盤に装着された入賞装置の可動部材に対しこの可動部材を駆動するために連係された駆動手段を取付けた構成を有する。」
を、明りょうでない記載の釈明を目的として、
「＜課題を解決するための手段＞
本発明の遊技機は、遊技盤の裏側へ転動したセーフ球を誘導するために遊技盤裏面に装着されたセーフ球誘導ケースの裏面には、遊技盤に装着された入賞装置の可動部材に対しこの可動部材を駆動するために連係された駆動手段を取付板を介して取付け、
　前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されている。」
と訂正する。
（５４）　【発明の名称】
遊技機
（５７）【特許請求の範囲】
　【請求項１】　遊技盤の裏側へ転動したセーフ球を誘導するために遊技盤の裏面に装着されたセーフ球誘導ケース
の裏面には、
取付板を介して取付け、
　
前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されている
【発明の詳細な説明】
［産業上の利用分野］
　この発明はパチンコ機等の遊技機に関する。
［従来の技術］
　従来のパチンコ機では遊技盤の前面に取付けられた入賞装置の可動部材、例えば入賞口を開閉する１対の揺動体を駆動するための駆動手段は例えば入賞装置自体に取着されていた。
［発明が解決しようとする課題］
　従来のパチンコ機では入賞装置の可動部材を駆動する駆動手段を狭いスペースに取付ける必要があるため、入賞装置が機能的に制限され、また、駆動手段の取付手数が煩雑となる問題点があった。
　本発明は上記問題点を解消することを課題とするものである。
［課題を解決するための手段］
　本発明の遊技機は、遊技盤の裏側へ転動したセーフ球を誘導するために遊技盤の裏面に装着されたセーフ球誘導ケース
の裏面には、
取付板を介して取付け、
　
前記取付板の前側には、前記駆動手段が取付けられる一方、前記セーフ球誘導ケースの裏面側には、位置決め突起と位置決め孔との嵌合によって前記取付板を位置決めして取り付ける支持部材が突出されている。
［作用］
　遊技盤の裏側へ転動したセーフ球を誘導するために装設されて、入賞装置の可動部材を駆動するための駆動手段が取付けられたセーフ球誘導ケースを遊技盤の裏面に組付けることによって前記駆動手段を遊技盤に取付け、前記可動部材を前記駆動手段によって駆動する。
［実施例］
　次に、本発明の一実施例を図面に従って説明する。
　遊技機において、遊技盤１の裏面１ｂの一側縁付近には縦長状の支持部材３が、この支持部材３の前側面の上下端部にそれぞれ突出形成された横出片を介して垂直状に取着され、この支持部材３には遊技盤１の裏面１ｂ側に露出された各種部材を開閉可能に覆蓋するための裏カバー２が片持状で水平方向への回動可能に支持され、この裏カバー２には図示しない制御基板が組付けられている。遊技盤１の裏面１ｂの他側縁の内方には裏カバー２を閉止状態で解放可能にロックするための係上部材４が取着されている。
　遊技盤１の裏面１ｂで支持部材３と係上部材４との間には遊技盤１に開設された天入賞口５Ａ、左入賞口５Ｂ、左下入賞口５Ｃ、右上入賞口５Ｄ、右下入賞口５Ｅ、中入賞口５Ｆ等の各入賞口内を通過して遊技盤１の前面１ａ側から裏面１ｂ側へ転動したセーフ球をそれぞれ所定位置へ誘導するために透明の合成樹脂材で成形されたセーフ球誘導ケース６が、∩形状に形成されて遊技盤１の裏面１ｂに打込まれた止め釘７４〜７４によって取付けられている。
　セーフ球誘導ケース６には天入賞口５Ａ内へ落入したセーフ球をセーフ球誘導ケース６の右下コーナ打へ誘導するために断面がコ形状で正面がほば逆Ｌ形状の第１誘導樋８が形成され、この第１誘導樋８の中央部付近の外方には左上入賞口５Ｂ内及び右下入賞口５Ｃ内へ落入したセーフ球を左下入賞口５Ｃの後側の外方へ送出するために垂直状に形成されてコ形状の断面を有する第２誘導樋９が並行状に連設され、この第２誘導樋９の下端に設置されたガイド板９ａには外方へ若干下傾するガイド面が形成されている。セーフ球誘導ケース６の支持部材３側端部にはコ形状の断面を有する第３誘導樋１０が垂直状に形成され、この第３誘導樋１０の上部の外方には左上入賞口５Ｂ内及び左下入賞口５Ｃ内へ落入したセーフ球を左下入賞口５Ｃの後側の外方へ送出するために垂直状に形成されてコ形状の断面を有する第４誘導樋１１が並行状に連設され、この第４誘導樋１１の下端に設置されたガイド盤１１ａには外方へ若干下傾するガイド面が形成されている。第１誘導樋８の下部内方には中入賞口５Ｆ内へ落入したセーフ球を第１誘導樋８の下方へ誘導するために第１誘導樋８の下端に連通されて高さが中入賞口５Ｆ側から第１誘導樋８の下端側へ段階状に漸減する第５誘導樋１２が連設されている。第５誘導樋１２内には中入賞口５Ｆ内へ落入したセーフ球の通過を検出するための入球検出スイッチ６９が挿入されている。
　第５誘導樋１２の内端の前端縁の内方には第３誘導樋１０の内端の前端縁下部に連設されて遊技盤１の裏面に添設された接続板１３が連設され、セーフ球誘導ケース６は第１誘導樋８、第２誘導樋９、第３誘導樋１０、第４誘導樋１１、第５誘導樋１２及び接続板１３が一体状に連接されて形成されている。
　接続板１３の裏面にはそれぞれ後方へ突出された左右１対の支持部材１４，１４が並設され、図示右側の支持部材１４と、左側の支持部材１４の上片１４ａとは同一高さでそれぞれ直立状に形成され、左側の支持部材１４の下片１４ｂは上片１４ａより高さが低減されるとともに、この下片１４ｂの下端付近は正面Ｌ形状に曲折されている。右側の支持部材１４の上端部と、左側の支持部材１４の上片１４ａの下端部及び下片１４ｂの下端部とにはそれぞれ円柱状の締着部１４ｃが形成されるとともに、右側の支持部材１４の下端部の後端面と、右側の支持部材１４の上片１４ａの下端部とにはそれぞれ突起１４ｄが突設されている。
　右側の支持部材１４の後端面と、左側の支持部材１４の上片１４ａの後端面とには平板状の取付板５１が、この取付板５１に貫設された１対の第１位置決め孔５１ａ，５１ａ内に対し両支持部材１４の両突起１４ｄがそれぞれ嵌挿された状態でビス７１，７１によって垂直状に締着され、取付板５１の中央部付近には上下１対の第２位置決め孔５１ｂ，５１ｂが貫設されている。
　取付板５１の前側には後記入賞装置１５の両可動部材２５を駆動するために装設されて、中央制御装置の指令によって上下方向へ進退動制御される作動軸５０ａを有するソレノイド５０が固定部材５２を介して下向き状に設置されている。固定部材５２は取付板５１の後側面に添接された上片５２ａと、この上片５２ａの下端縁の右端付近の前下方に対し、段差状に連設されて左側の支持部材１４の下片１４ｂの後端面に添接された下片５２ｂとを有し、上片５２ａの前側面には取付板５１の両第２位置決め孔５１ｂと、ソレノイド５０の枠板５０ｂに貫設された１対の位置決め孔５０ｃとに嵌挿するための上下１対の突起５２ｃ，５２ｃが突設されている。
　ソレノイド５０は固定部材５２が、この固定部材５２とソレノイド５０との間に挟まれた取付板５１の後側面に対し固定部材５２及び取付板５１を貫通してソレノイド５０の枠板５０ｂに螺着されたビス７２，７２によって締着され、かつ固定部材５２の下片５２ｂが左側の支持部材１４の下片１４ｂにビス７３によって締着され、固定部材５２の両突起５２ｃが取付板５１の両第２位置決め孔５１Ｂ内及びソレノイド５０の両位置決め孔５１ｃ内にそれぞれ嵌挿されて位置決めされた状態で取付板５１の前側面に取着されている。
　遊技盤１の下部の中央部付近に対し埋め込み状に取付けられた入賞装置１５において、この入賞装置１５の基体１６は左右両端部付近がそれぞれ側方へ延出されて中央部付近が上方へ突出された正面形状を有し、遊技盤１の前面１ａにビス着されている。
　基体１６はこの基体１６の周縁部を構成する無端枠状のベース枠１７と、このベース枠１７の周縁部に沿って開設された開口部１７ａを覆蓋するために同開口部１７ａ内の前端に対し密嵌状に嵌合されて透明の合成樹脂材で成形されたカバー板１８とを備えている。
　ベース枠１７はその前端に対し全周にわたって外方へ突出形成されたフランジ部１７ｂが、遊技盤１に開設された取付孔１ｃの孔縁に掛止さて遊技盤１の前面１ａに締着された状態でこの取付孔１ｃ内に嵌挿されている。
　ベース枠１７の上片１７ｃの中央部付近と、下片１７ｄの中央部付近の後端とにはベース枠１７内を５室に区画する三又状の仕切片１７ｅ，１７ｅが左右対称状に橋架されている。
　ベース枠１７の底面状には光線を反射させるために光沢を有するフィルム状の反射膜７０がほぼ全面にわたって貼着されている。
　カバー１８の左右両端部、中央部の上端及び左右部の下端にはそれぞれ後方へ突出された係止爪１８ａ〜１８ａが弾性変形可能に形成され、カバー１８は各係止爪１８ａの先端がベース枠１７に対し各係止爪１８ａにそれぞれ対向して貫設された係合孔１７ｆ〜１７ｆ内に対し弾性的に係合した状態で、ベース枠１７内の前端に対し取外し可能に係着され、カバー板１８の前面はベース枠１７のフランジ部１７ｂの前面に整合されている。
　カバー板１８の中央部の上端付近には上貫通孔１９Ａが貫設され、カバー板１８の中央部で上貫通孔１９Ａの下方には左右１対の中貫通孔１９Ｂ，１９Ｂが貫設され、また、カバー板１８の中央部の下端付近で両中貫通孔１９Ｂの下方には下貫通孔１９Ｃが貫設されている。
　カバー板１８の前面の中央部上端には平面形状が∪形状で前方へ突出された上球受部材２１が上貫通口１９Ａに対向して一体状に形成され、この上球受部材２１にはセーフ球を通過させるための通過口２０が開口されるとともに、上球受部材２１内には通過口２０内を通過したセーフ球を検出するための上入球検出スイッチ２２の前部がカバー板１８の上貫通孔１９Ａを貫通して挿入され、上入球検出スイッチ２２の前部には通過口２０内へ落入したセーフ球を通過させる検出口２２ａが貫設されている。
　カバー板１８の前面の中央部で通過口２８の直下にはカバー板１８の前方に垂立されてＵ形状の輪郭形状を有する前板２３ａと、この前板２３ａの裏面に対しその端縁に沿って連接されてＵ形状に湾曲された樋板２３ｂとを有する下球受部材２３がカバー板１８の下貫通孔１９Ｃに対向して取付けられて遊技盤１の前面１ａの前方へ突出され、この下球受部材２３の上端には大入賞口３０が開口され、また、下球受部材２３の底面上にはこの下球受部材２３内の下端へ落下したセーフ球を後方へ誘導するために後方へ下傾するガイド片２３ｃが突出形成されている。
　下球受部材２３の前板２３ａの左上端部とカバー板１８との間、及び前板２３ａの右上端部とカバー板１８との間には左右１対の支軸２４，２４がそれぞれ前後方向に沿って水平状に横架されている。
　この両支軸２４は通過口２０及び大入賞口３０を開閉するために相反方向へ揺動制御される左右１対の可動部材２５，２５の外側下端部に貫挿され、両可動部材２５は下球受部材２３に対し両支軸２４を介してそれぞれ左右方向への揺動可能で左右相対向状に枢着されている。
　両可動部材２５は上球受部材２１の前方にそれぞれ垂立されて上外コーナ部付近が円弧状に湾出された前板２５ａと、この前板２５ａの裏面に対しその内側上端縁から外側下端縁にわたって連接されて後方へ突出された翼片２５ｂとをそれぞれ有し、両可動部材２５の翼片２５ｂの後側面の下端には後方へ水平状に突出された伝動ピン２７，２７がそれぞれ一体状に形成されている。
　両可動部材２５がそれぞれ内方へ揺動したときには両可動部材２５の前板２５ａの内端縁及び翼片２５ｂの上端縁がそれぞれほば密接して通過口２０及び大入賞口３０が両可動部材２５によって閉止される一方、両可動部材２５がそれぞれ外方へ揺動したときには両可動部材２５の翼片２５ｂの上端縁が離隔して通過口２０及び大入賞口３０が開放される。
　下球受部材２３内には両可動部材２５がそれぞれ外方へ揺動して通過口２０及び大入賞口３０が開放されたときに、拡開した両可動部材２５の翼片２５ｂ上へ転落して横方向から大入賞口３０内へ落入したセーフ球と、通過口２０内へ落入してから大入賞口３０内へ落入したセーフ球とを検出するために上入球検出スイッチ２２の直下に配設された下入球検出スイッチ２６の前部がカバー板１８の下貫通口１９Ｃを貫通して挿入され、この下入球検出スイッチ２６の前部には下入賞口４８に対設された検出口２６ａがセーフ球を通過させるために貫設されている。
　大入賞口３０内に落入したセーフ球は下球受部材２３内の下端へ転落してから、カバー板１８の下貫通口１９Ｃ内を通じて後方へ導出される。
　カバー板１８の左右部の上端にはカバー板１８の前方に垂立された前片１８ａと、この前片１８ａの後側面の端縁に連接されて後方へ水平状に突出され、Ｕ形状に湾曲された後片２８ｂとを有する左右１対の横球受部材２８，２８がそれぞれカバー板１８を貫通した状態で一体状に形成されている。この両横球受部材２８の前上端にはセーフ球を落入させるための始動口４８がそれぞれ開口されるとともに、この両横球受部材２８内にはカバー板１８に対し水平状に貫挿された左右の入球検出スイッチ２９，２９の前部がそれぞれ挿入され、この両入球検出スイッチ２９の前部には始動口４８に対設された検出口２９ａがセーフ球を通過させるためにそれぞれ貫設されている。
　ベース枠１７の後側面には透明の合成樹脂材で成形されてベース枠１７の輪郭形状とほぼ等しい輪郭形状を有する裏板３１がビスを介して取着され、この裏板３１の前端に形成されてベース枠１７の後側面に添設された前壁部３１ａの中央部には開口部３２が上端から下端にわたって開設され、この開口部３２の上端付近には上球受部材２１内に挿入された上入球検出スイッチ２２を挿通するために開口幅が若干縮小された挿通部３２ａが形成されている。この挿通部３２ａの上方で開口部３２の両側開口縁の上端には平面が∪形状に形成されて後方へ突出された上連結片５３が一体状に跨架され、この連絡片５３の後端部の下端には前記上入球検出スイッチ２２の後端面に対接して後方への上入球検出スイッチ２２の脱抜を規制するために前方へほぼ水平状に延出された規制片５４が一体状で上下方向への弾性変形可能に形成されている。
　カバー板１８の下貫通孔１９Ｃの後方で開口部３２の下端部の両側開口縁には平面が∪形状に形成されて後方へ突出された下連結片５５が一体状に跨架され、この下連結片５５の後端部の上端には下球受部材２３内に挿入された下人球検出スイッチ２６の後端面に対接して後方への下入球検出スイッチ２６の脱抜を規制するために前方へほぼ水平状に延出された規制片５６が一体状で上下方向への弾性変形可能に形成されている。
　裏板３１の前壁部３１ａの後側面の下端付近に連接されて前壁部３１ａのほぼ全長にわたって後方へ突出された横長状の底板３１ｂの左右両端部付近の後端上にはそれぞれ垂立部３１ｃが一体状に垂立され、また、前壁部３１ａの左右両端部付近には始動口４８内へ落入したセーフ球を後下方へ転落させるために両始動口４８の後方にそれぞれ配設された切欠部５７が凹設され、この両切欠部５７の上端には両横球受部材２８内に挿入された左右の入球検出スイッチ２９を挿通するための挿通部がそれぞれ形成されている。両垂立部３１ｃの内端には入球検出スイッチ２９の後端面の下端付近に対接して後方への入球検出スイッチ２９の脱抜を阻止するためにそれぞれ前方の横球受部材２８側へほぼ水平状に突出された規制片５８，５８がそれぞれ一体状で上下方向への弾性変形可能に形成されている。
　裏板３１の前壁部３１ａの裏面で開口部３２の中央部付近の両側方にはそれぞれ後方へ水平状に延出された支持棒５９，５９が一体状に突設されるとともに、前記下連結片５５の後端面には後方へ水平状に延出された支持棒６０が一体状に突設されている。
　取付部材３１の両垂立部３１ｃの後側面には後方へ突出された円筒状のランプ受け６１，６１がそれぞれ一体状に連接され、この両ランプ受け６１内にはそれぞれ第１ランプ６２が前向き状に挿入されている。前板３１ａの開口部３２の両側方にはそれぞれ丸孔状の透過孔３１ｄが貫設されている。
　裏板３１の前壁部３１ａの中央部付近の裏面で開口部３２の一側方に挿着されて後方へ水平状に延出された支持ピン３３にはソレノイド５０の作動軸５０ａの進退動動作を前記両可動部材２５に伝達するための伝動レバ３４が揺動可能に枢支され、この伝動レバ３４の中央部に形成されて支持ピン３３が貫挿された基部３４ａの後端には内方へ延出された内片３４ｂが一体状に連接される一方、基部３４ａの前端には外方へ延出された外片３４ｃが一体状に連接され、内片３４ｂの先端部にはこの先端部の前方の開口部３２の中央部付近に向ってそれぞれ突出された上下１対の内連動ピン３４ｄ，３４ｄが一体状に形成される一方、外片３４ｃの先端にはソレノイド５０の作動軸５０ａに対向して後方へ水平状に突出された外連動ピン３４ｅの基端部が挿着され、伝動レバ３４はソレノイド５０の作動軸５０ａの進退動動作に連動して上下方向へ揺動する。
　カバー板１８の中央部付近の後方に設置された半透明の第１有色レンズ３６には有色合成樹脂材で後方開放の中空体状に成形されて、カバー板１８の後方に配設された前板３６ａと、この前板３６ａの裏面の周縁部に連接されて後方へ外傾状に突出された後板３６ｂと、この後板３６ｂの後端縁に連接されて外方へ突出された突縁３６ｃとを有し、突縁３６ｃがベース枠１７の中央部付近の後端面及び前記仕切片１７ｅと、裏板３１との間に挟止されかつ前板３６ａ及び後板３６ｂがベース枠１７内の中央部付近で前記両仕切片１７ｅ間に装入された状態で基体１６内の中央部に取付けられている。第１有色レンズ３６の前板３６ａにはカバー板１８の上貫通孔１９Ａに相対向する上通し孔３９Ａと、両中貫通孔１９Ｂに相対向する中通し孔３９Ｂと、下貫通孔１９Ｃに相対向する下通し孔３９Ｃとがそれぞれ貫設され、中通し孔３９Ｂの両側方にはそれぞれ後方へ突出された左右１対の突片４０，４０がそれぞれ垂直状に形成されるとともに、下通し孔３９Ｃの両側方にはそれぞれ後方へ突出された左右１対の突片４１，４１がそれぞれ垂直状に形成されている。
　カバー板１８の左右部の後方に設置された左右１対の半透明の第２有色レンズ３７，３７はそれぞれ有色合成樹脂材で後方開放の中空体状に成形され、カバー板１８の後方に垂立された前板３７ａと、この前板３７ａの裏面の周縁部に連接されて後方へ外傾状に突出された後板３７ｂと、この後板３７ｂの後端縁に連接されて外方へ突出された突縁３７ｃとをそれぞれ有し、突縁３７ｃがベース枠１７の左右部及び仕切片１７ｅと、裏板３１との間で挟止されて前板３７ａ及び後板３７ｂが両仕切片１７ｅの外方でベース枠１７内の左右部にそれぞれ装入された状態で基体１６内の左右部にそれぞれ取付けられ、両第２有色レンズ３７の内端部は第１有色レンズ３６の下端部の内側縁にそれぞれ隣接されている。両第２有色レンズ３７の後板３７ｂの中央部付近には断面がＵ形状で前端が前板３７ａに連接され、横球受部材２８の後端に対し突合せ状に隣接された樋部３８ｄがそれぞれ形成されている。
　第１有色レンズ３６の両側方でカバー板１８の中央部付近に設置された左右１対の半透明の第３有色レンズ３８，３８はそれぞれ有色合成樹脂材で後方開放の中空体状に成形され、カバー板１８の後方に垂立された前板３８ａと、この前板３８ａの裏面の周縁部に連接されて後方へ外傾状に突出された後板３８ｂと、この後板３８ｂの後端縁に対し周状に連接されて外方へ突出された突縁３８ｃとをそれぞれ有し、突縁３８ｃがベース枠１７の後端面及び仕切片１７ｅと、裏板３１との間で挟止されかつ前板３８ａ及び後板３８ｂが両仕切片１７の上外方でベース枠１７内へ装入された状態で基体１６内の中央部付近に取付けられている。
　各有色レンズ３６，３７，３８の後板３６ｂ，３７ｂ，３８ｂの内壁面には前後方向に沿って形成された多数個の小突条が周方向へ並行状に配列された凹凸面がランプ光線を乱反射させるためにそれぞれ形成されるとともに、第１有色レンズ３６の前板３６ａ及び両第３有色レンズ３８の前板３８ａの内壁面にはローレット状の凹凸面がランプ光線を拡散させるためにそれぞれ形成され、また両第２有色レンズ３７の前板３７ｂの内壁面には水平方向に沿って突設された多数個の突条が上下方向へ並行状に配列された凹凸面がランプ光線を拡散させるためにそれぞれ形成されている。
　第１有色レンズ３６の両突片４０に横架された支軸４３には中通し孔３９Ｂ及び前記伝動レバ３４に対向して伝動部材４４が上下方向への揺動可能に支持され、この伝動部材４４の前端に突出形成されて裏板３１の開口部３２内に挿入された横長状の突部４４ａには前方開放でアリ溝状の係合溝４５が左右方向に沿って凹設され、この係合溝４５内には前記両可動部材２５の両伝動ピン２７がそれぞれ係入されている。一方、後方へ延出された伝動部材４４の後片４４ｂの後端には側方へ横出された連動ピン４６が一体状に形成され、この運動ピン４４ｂは前記伝動レバ３４と両可動部材２５とを連動可能に連係するために伝動レバ３４の両連動ピン３４ｄ間に挿入され、ソレノイド５０の作動軸５０ａが進退動して伝動レバ３４が揺動したときには伝動部材４４が上下方向へ揺動して両可動部材２５が相反方向へ揺動される。
　裏板３１の各支持棒５９，６０の後端面にはプリント回路が後側面に印刷されたランプ基板６５がビスを介して垂直状に取着され、前記両第１ランプ６２の接続端子はこのランプ基板６５のプリント回路にリード線を介して接続されている。
　ランプ基板６５の左右方向の中央部の上端には裏板３１の開口部３２の上部及び第１有色レンズ３６の前板３６ａに対向してランプ基板６５の前方へ水平状に突出された左右１対の第２ランプ６６，６６が、その各１対の接続端子がランプ基板６５を貫通してプリント回路にはんだ付けされた状態で取付けられている。
　両第２ランプ６６の両下外方でランプ基板６５の左右部には裏板３１の前記両透過孔３１ｄにそれぞれ対向してランプ基板６５の前方へ水平状に突出された左右１対の第３ランプ６７，６７がその各１対の接続端子がランプ基板６５を貫通してプリント回路にはんだ付けされた状態で取付けられている。
　ランプ基板６５の左右両端部の下端には両第２有色レンズ３７の前板３７ａの内端付近に対向してランプ基板６５の前方へ水平状に突出された左右１対の第４ランプ６８，６８がその各１対の接続端子がランプ基板６５を貫通してプリント回路にはんだ付けされた状態で取付けられている。
　各ランプ６２，６６，６７，６８を点灯したときには各ランプ６２，６６，６７，６８のランプ光線が各有色レンズ３６，３７，３８を透過して各有色レンズ３６，３７，３８が照し出される。
　続いて、上記した構成をもつ実施例の作用と効果を説明する。
　本例では遊技盤１の裏側へ転動したセーフ球を誘導するために遊技盤１の裏面１ｂに装着されたセーフ球誘導ケース６の下端に形成された接続部１３には遊技盤１に装着された入賞装置１５の両可動部材２５の両伝動ピン２７に対しこの可動部材２５を駆動するために伝動部材４４及び伝動レバ３４を介して連係されたソレノイド５０を取付けてある。
　このため、入賞装置１５の両可動部材２５を駆動するソレノイド５０をセーフ球誘導ケース６の一部を有効活用して遊技盤１の裏側に取付けることができ、遊技盤１の裏側におけるソレノイド５０の取付けスペースを削減し得るとともに、セーフ球誘導ケース６にソレノイド５０を取付けた状態でセーフ球誘導ケース６を遊技盤１の裏面に組付けることによってソレノイド５０を遊技盤１の裏側に取付けることができるので、遊技盤１の裏側へのソレノイド５０の取付手数を軽減することができ、また、ソレノイド５０と、このソレノイド５０の作動軸５０ａの動作を可動部材２５に伝達する伝動レバ３４との位置合わせを簡略化し得る効果がある。
　また、入賞装置１５の基体１６に取付けた各有色レンズ３６〜３８を透明のカバー板１８で覆蓋してあるので、各有色レンズ３６，３７，３８をその各色彩及び明度をそろまま保持した状態で各ランプ６２，６６，６７，６８によって照し出すことができ、各有色レンズ３６，３７，３８の照明状態を鮮明化して入賞装置１５の照明効果を高めることができる。
　さらに、各有色レンズ３６，３７，３８の内壁面にそれぞれ凹凸面を形成してあるので各ランプ６２，６６，６７，６８の照射光が拡散して各有色レンズ３６，３７，３８を透過し、各有色レンズ３６，３７，３８をそれぞれ全体的に一様な明度で照し出すことができ、各有色レンズ３６，３７，３８による照明効果を均整化することができる。
［発明の効果］
　本発明は遊技盤の裏側へ転動したセーフ球を誘導するために遊技盤の裏面に装着されたセーフ球誘導ケースの一部には遊技盤に装着された入賞装置の可動部材に対しこの可動部材を駆動するために連係された駆動手段を取付けたことによって、入賞装置の可動部材を駆動するための駆動手段をセーフ球誘導ケースの一部を有効活用して遊技盤の裏側に取付けることができ、遊技盤の裏側における前記駆動手段の取付けスペースを削減しうるとともに、取付けスペースが制限されることによって入賞装置ひいては遊技機全体の機能が制限される不具合を解消しうる効果がある。また、遊技盤への前記駆動手段の取付手数を軽減することができる。
【図面の簡単な説明】
　図面は本発明の一実施例を示すもので、第１図はソレノイドの動作を可動部材に伝達する伝達機構の斜視図、第２図は遊技盤の裏面図、第３図はセーフ球誘導ケースの斜視図、第４図は可動部材が拡開した状態を説明する入賞装置の斜視図、第５図は第２図のＸ−Ｘ線拡大断面図、第６図は入賞装置の縦断面図、第７図は入賞装置の分解斜視図である。
　１……遊技盤
　１ｂ……裏面
　６……セーフ球誘導ケース
　１５……入賞装置
　２５……可動部材
　３４……伝動レバ
　４４……伝動部材
　５０……ソレノイド